(57)【要約】【課題】装置を大型化することなく、光源からの光出力を高い精度で制御することができる光ピックアップ装置を提供する。【解決手段】光ピックアップ装置２１は、光源２３，２４と、光源２３，２４から放射される光を光記録媒体２２に集光する対物レンズ２５と、光源２３，２４から放射される光を透過／反射する光分離用光学素子２６と、光を略平行光にするコリメータレンズ２７と、光を反射して光路の方向を変更させる立上げミラー２８と、光源２３，２４と光分離用光学素子２６との間に設けられ光源２３，２４から放射される光の一部を反射する光反射手段２９，３０と、光反射手段２９，３０によって反射される光を検出する光出力検出手段３１，３２と、光出力検出手段３１，３２の検出出力に応答し、光源２３，２４から放射される光の出力を制御する光出力制御手段３３とを含んで構成される。【選択図】　　　図１
2004005894.tif 000002
【特許請求の範囲】
【請求項１】
光記録媒体に情報を記録または光記録媒体から情報を再生する光ピックアップ装置であって、
光を放射する光源と、
前記光記録媒体を臨んで設けられ、光記録媒体の情報記録面に光源から放射される光を集光する対物レンズと、
光源と対物レンズとの間に配置され、光源から放射される光を透過または反射する光分離用光学素子と、
光分離用光学素子と対物レンズとの間に配置され光源から放射される光を略平行光にするコリメータレンズと、
コリメータレンズと対物レンズとの間に配置され光源から放射される光を反射して光路の方向を変更させる光路変更用反射鏡と、
光源から放射される光の一部を反射する光反射手段と、
光反射手段によって反射される光を検出する光出力検出手段と、
光出力検出手段による検出出力に応答し、光源から放射される光の出力を制御する光出力制御手段とを含むことを特徴とする光ピックアップ装置。
【請求項２】
前記光反射手段は、
光源と光分離用光学素子との間に設けられることを特徴とする請求項１記載の光ピックアップ装置。
【請求項３】
前記光反射手段は、
光源から放射される光の光軸に垂直な平面上に直交するように形成される２軸のそれぞれの軸方向に対する光の広がり角度のうち、光が大きい方の広がり角度を成す軸上に位置するように設けられることを特徴とする請求項１または２記載の光ピックアップ装置。
【請求項４】
前記光反射手段は、
前記光反射手段の反射面の法線が、前記光路変更用反射鏡によって前記光記録媒体へ向う方向に反射された光の光軸に対して非平行になるように配置されることを特徴とする請求項１〜３のいずれかに記載の光ピックアップ装置。
【請求項５】
前記光源は、放射する光の波長がそれぞれ異なるように選択されて２個設けられ、
前記光反射手段は、前記２個の光源にそれぞれ対応するように２個設けられることを特徴とする請求項４記載の光ピックアップ装置。
【請求項６】
前記光反射手段は、
前記光分離用光学素子に装着されることを特徴とする請求項１記載の光ピックアップ装置。
【請求項７】
前記光反射手段は、
前記コリメータレンズに装着されることを特徴とする請求項１記載の光ピックアップ装置。
【請求項８】
前記コリメータレンズを保持する保持部材をさらに含み、
前記光反射手段は、保持部材に装着されることを特徴とする請求項１記載の光ピックアップ装置。
【請求項９】
前記光反射手段は、
前記光路変更用反射鏡に装着されることを特徴とする請求項１記載の光ピックアップ装置。
【請求項１０】
光記録媒体に情報を記録または光記録媒体から情報を再生する光ピックアップ装置であって、
光を放射する光源と、
前記光記録媒体を臨んで設けられ、光記録媒体の情報記録面に光源から放射される光を集光する対物レンズと、
光源と対物レンズとの間に配置され、光源から放射される光を透過または反射する光分離用光学素子と、
光分離用光学素子と対物レンズとの間に配置され光源から放射される光を略平行光にするコリメータレンズと、
コリメータレンズと対物レンズとの間に配置され光源から放射される光を反射して光路の方向を変更させる光路変更用反射鏡と、
前記光源から放射され前記コリメータレンズを透過し、光路変更用反射鏡に入射することなく通過する光の一部を検出する光出力検出手段と、
光出力検出手段による検出出力に応答し、光源から放射される光の出力を制御する光出力制御手段とを含むことを特徴とする光ピックアップ装置。
【発明の詳細な説明】
【０００１】
【発明の属する技術分野】
本発明は、光記録媒体に情報を記録または光記録媒体から情報を再生する光ピックアップ装置に関する。
【０００２】
【従来の技術】
光ピックアップ装置、特に光記録媒体に情報を書込み記録することができる光ピックアップ装置の光源には、出力の大きい半導体レーザが用いられる。この出力の大きな半導体レーザでは、半導体レーザに備わるレーザチップの前面と後面とにコーティングされるＡｎｔｉ−Ｒｅｆｌｅｃｔｉｎｇコートの膜厚を変化させることによって、その反射率を変えている。したがって、レーザチップの前面から放射される光量と、後面から放射される光量とが異なるので、半導体レーザパッケージの内部に受光素子を設け、後面から放射される光を検出し、その検出結果に基づいて前面から放射される光の出力を制御するという方式を採ることができない。
【０００３】
このような理由から、出力の大きい半導体レーザを備える光ピックアップ装置では、半導体レーザの光出力をモニタリングするための受光素子を、半導体レーザパッケージの外部であって、光ピックアップ装置の内部に設け、レーザチップの前面から放射される光の出力をモニタリングできるようにしなければならない。
【０００４】
レーザチップの前面から放射される光の出力をモニタリングするための受光素子（フロントモニタ）が、半導体レーザパッケージの外部であって、光ピックアップ装置の内部に設けられる従来技術には、たとえば以下のようなものがある（たとえば、特許文献１参照）。
【０００５】
図１２は、波長の異なる２つの光源を備える従来の光ピックアップ装置１での光出力モニタリングの例を示す図である。
【０００６】
従来の光ピックアップ装置１は、波長がそれぞれ異なる光を放射する第１および第２光源２，３を備える。第１光源２から放射される光は、第１コリメータレンズ４を透過して略平行光にされ、ビームスプリッタ５で反射され、さらに立上げミラー６で反射されて対物レンズ７に入射し、対物レンズ７によって光記録媒体８の情報記録面に集光される。光記録媒体８で反射された光は、再び対物レンズ７を透過し、立上げミラー６で反射され、ビームスプリッタ５およびハーフミラー９を透過し、スポットレンズ１０によって光検出器１１に受光される。第２光源３から放射される光は、第２コリメータレンズ１２を透過して略平行光にされ、ハーフミラー９で反射され、ビームスプリッタ５を透過してさらに立上げミラー６で反射されて対物レンズ７に入射し、対物レンズ７によって光記録媒体８の情報記録面に集光される。光記録媒体８で反射された光は、前述の第１光源２から放射された光と同様の光路で光検出器１１に受光される。
【０００７】
第１光源２からの光出力をモニタリングする第１フロントモニタ１３は、ビームスプリッタ５に対して第１光源２と反対側に配置され、第１光源２から放射されて第１コリメータレンズ４およびビームスプリッタ５を透過した光を受光する。第１フロントモニタ１３は検出結果を制御手段１５に対して出力し、制御手段１５は、第１フロントモニタ１３の検出出力に応答して第１光源２から放射される光出力を制御する。
【０００８】
一方第２光源３からの光出力をモニタリングする第２フロントモニタ１４は、ハーフミラー９に対して第２光源３と反対側に配置され、第２光源３から放射されて第２コリメータレンズ１２およびハーフミラー９を透過した光を受光する。第２フロントモニタ１４は検出結果を制御手段１５に対して出力し、制御手段１５は、第２フロントモニタ１４の検出出力に応答して第２光源３から放射される光出力を制御する。
【０００９】
このように構成される従来の光ピックアップ装置１では、第１および第２光源２，３と第１および第２フロントモニタ１３，１４とが、ビームスプリッタ５やハーフミラー９に対して反対側に配置されるので、大きな設置容積を必要とし、装置が大型化するという問題がある。
【００１０】
また図１３は、もう１つの従来の光ピックアップ装置２０での光出力モニタリングの例を示す図である。もう１つの従来の光ピックアップ装置２０は、前述の従来の光ピックアップ装置１に類似し、対応する部分については同一の参照符号を付す。もう１つの従来の光ピックアップ装置２０では、ビームスプリッタ５にホログラムレーザを用い、ホログラムレーザ５によって波長の異なる２つの光を分離する。
【００１１】
またもう１つの従来の光ピックアップ装置２０では、第１フロントモニタ１３が単独で設けられ、第１および第２光源２，３の両方の光出力をモニタリングする。第１光源２から放射される光は、ホログラムレーザ５を透過して第１フロントモニタ１３に受光され、第２光源３から放射される光は、ホログラムレーザ５によって反射されて第１フロントモニタ１３に受光される。第１フロントモニタ１３は検出結果を制御手段１５に対して出力し、制御手段１５は、第１フロントモニタ１３の検出出力に応答して第１および第２光源２，３から放射される光出力を制御する。
【００１２】
もう１つの従来の光ピックアップ装置２０は、従来の光ピックアップ装置１に比べて部材点数が削減されるので、装置の大型化は抑制されるけれども、光出力の制御精度に劣るという問題がある。ホログラムレーザ５において透過する光と反射する光との光量配分は、一般的に記録または再生に用いられる光量が約９０％、光出力のモニタリングに用いられる光量が約１０％になるように行われる。この光出力のモニタリングに用いられる１０％分の光量、すなわち第１光源２からの透過光量または第２光源３からの反射光量は、ホログラムレーザ５固有の特性によってさらに１０〜２０％の割合で変動する。このような光量変動を来さないような光分離特性を有するビームスプリッタの実現は事実上困難であり、前述のように光源から放射される光出力を高い精度で制御することが難しいという問題がある。
【００１３】
【特許文献１】
特開平８−１０２０８０号公報
【００１４】
【発明が解決しようとする課題】
本発明の目的は、装置の大型化を招来することなく、光源からの光出力を高い精度で制御することができる光ピックアップ装置を提供することである。
【００１５】
【課題を解決するための手段】
本発明は、光記録媒体に情報を記録または光記録媒体から情報を再生する光ピックアップ装置であって、
光を放射する光源と、
前記光記録媒体を臨んで設けられ、光記録媒体の情報記録面に光源から放射される光を集光する対物レンズと、
光源と対物レンズとの間に配置され、光源から放射される光を透過または反射する光分離用光学素子と、
光分離用光学素子と対物レンズとの間に配置され光源から放射される光を略平行光にするコリメータレンズと、
コリメータレンズと対物レンズとの間に配置され光源から放射される光を反射して光路の方向を変更させる光路変更用反射鏡と、
光源から放射される光の一部を反射する光反射手段と、
光反射手段によって反射される光を検出する光出力検出手段と、
光出力検出手段による検出出力に応答し、光源から放射される光の出力を制御する光出力制御手段とを含むことを特徴とする光ピックアップ装置である。
【００１６】
本発明に従えば、光源から放射される光の一部を反射する光反射手段を設け、光反射手段から反射される光を光出力検出手段によって検出し、その検出出力に応答して光源の光出力を制御する。このことによって、光記録媒体に情報を記録および／または再生するための光学系に変更を加えることなく、高い精度で光源の光出力を制御することが可能になる。
【００１７】
また本発明は、前記光反射手段は、光源と光分離用光学素子との間に設けられることを特徴とする。
【００１８】
本発明に従えば、光反射手段は、光源と光分離用光学素子との間に設けられるので、光分離用光学素子に対して光源と反対側に設けられる場合に比べて設置容積を小さくすることができ、装置を小型化することができる。また光分離用光学素子を透過または光分離用光学素子に反射される前の光を、光反射手段によって反射し、光出力のモニタリングを行うことができるので、高い精度で光源の光出力を制御することができる。
【００１９】
また本発明は、前記光反射手段は、
光源から放射される光の光軸に垂直な平面上に直交するように形成される２軸のそれぞれの軸方向に対する光の広がり角度のうち、光が大きい方の広がり角度を成す軸上に位置するように設けられることを特徴とする。
【００２０】
本発明に従えば、光反射手段を、光源から放射される光の広がり角度の大きい方に位置するように設けることによって、より多くの光量を反射してモニタリングに用いることができるので、高い精度で光源の光出力を制御することが可能になる。
【００２１】
また本発明は、前記光反射手段は、
前記光反射手段の反射面の法線が、前記光路変更用反射鏡によって前記光記録媒体へ向う方向に反射された光の光軸に対して非平行になるように配置されることを特徴とする。
【００２２】
また本発明は、前記光源は、放射する光の波長がそれぞれ異なるように選択されて２個設けられ、前記光反射手段は、前記２個の光源にそれぞれ対応するように２個設けられることを特徴とする。
【００２３】
本発明に従えば、光反射手段の反射面の法線が、前記光路変更用反射鏡によって前記光記録媒体へ向う方向に反射された光の光軸に対して非平行になるように配置されるので、光ピックアップ装置の厚みを厚くすることなく、また光源から放射される光を出力制御に効率良く利用することができる。さらに放射する光の波長がそれぞれ異なる光源が２個設けられるいわゆる２波長光ピックアップ装置においても、２個の光源に対応して設けられる２個の光反射手段を前述のようにそれぞれ配置することによって、同様の効果を奏することができる。
【００２４】
また本発明は、前記光反射手段は、前記光分離用光学素子に装着されることを特徴とする。
【００２５】
本発明に従えば、光反射手段は、光分離用光学素子に装着されるので、大きな容積の設置空間を必要とせず、装置を小型化することができる。
【００２６】
また本発明は、前記光反射手段は、前記コリメータレンズに装着されることを特徴とする。
【００２７】
また本発明は、前記コリメータレンズを保持する保持部材をさらに含み、前記光反射手段は、保持部材に装着されることを特徴とする。
【００２８】
本発明に従えば、光反射手段は、コリメータレンズまたはコリメータレンズを保持する保持部材に装着されるので、大きな容積の設置空間を必要とせず、装置を小型化することができる。
【００２９】
また本発明は、前記光反射手段は、前記光路変更用反射鏡に装着されることを特徴とする。
【００３０】
本発明に従えば、光反射手段は、光路変更用反射鏡に装着されるので、大きな容積の設置空間を必要とせず、装置を小型化することができる。
【００３１】
また本発明は、光記録媒体に情報を記録または光記録媒体から情報を再生する光ピックアップ装置であって、
光を放射する光源と、
前記光記録媒体を臨んで設けられ、光記録媒体の情報記録面に光源から放射される光を集光する対物レンズと、
光源と対物レンズとの間に配置され、光源から放射される光を透過または反射する光分離用光学素子と、
光分離用光学素子と対物レンズとの間に配置され光源から放射される光を略平行光にするコリメータレンズと、
コリメータレンズと対物レンズとの間に配置され光源から放射される光を反射して光路の方向を変更させる光路変更用反射鏡と、
前記光源から放射され前記コリメータレンズを透過し、光路変更用反射鏡に入射することなく通過する光の一部を検出する光出力検出手段と、
光出力検出手段による検出出力に応答し、光源から放射される光の出力を制御する光出力制御手段とを含むことを特徴とする光ピックアップ装置である。
【００３２】
本発明に従えば、光路変更用反射鏡に入射することなく通過する光の一部を光出力検出手段で検出することによって、光反射手段を設けることなく、光出力のモニタリングを行うことができるので、装置の小型化を可能にするとともに、部材点数が削減されるので、装置組立ての効率を向上することができる。
【００３３】
【発明の実施の形態】
図１は、本発明の実施の一形態である光ピックアップ装置２１の構成を簡略化して示す系統図である。光ピックアップ装置２１は、光記録媒体２２に情報を記録または光記録媒体２２から情報を再生する。光ピックアップ装置２１は、波長がそれぞれ異なる光を放射する第１および第２光源２３，２４と、光記録媒体２２を臨んで設けられ、光記録媒体２２の情報記録面に第１または第２光源２３，２４から放射される光を集光する対物レンズ２５と、第１および第２光源２３，２４と対物レンズ２５との間に配置され、第１または第２光源２３，２４から放射される光を透過または反射する光分離用光学素子２６と、光分離用光学素子２６と対物レンズ２５との間に配置され第１または第２光源２３，２４から放射される光を略平行光にするコリメータレンズ２７と、コリメータレンズ２７と対物レンズ２５との間に配置され第１または第２光源２３，２４から放射される光を反射して光路の方向を変更させる光路変更用反射鏡２８と、第１光源２３から放射される光の一部を反射する第１光反射手段２９と、第２光源２４から放射される光の一部を反射する第２光反射手段３０と、第１光反射手段２９によって反射される光を検出する第１光出力検出手段３１と、第２光反射手段３０によって反射される光を検出する第２光出力検出手段３２と、第１および第２光出力検出手段３１，３２による検出出力に応答し、第１および第２光源２３，２４から放射される光の出力を制御する光出力制御手段３３とを含む。
【００３４】
第１光源２３は、たとえば波長が７８０ｎｍの赤外レーザを放射する半導体レーザであり、コンパクトディスク（ＣＤ）に対する情報の記録／再生に用いられ、第２光源２４は、たとえば波長が６５０ｎｍの赤色レーザを放射する半導体レーザであり、デジタルバーサタイルディスク（ＤＶＤ）に対する情報の記録／再生に用いられる。光分離用光学素子２６は、たとえばグラントムソンプリズムなどからなるビームスプリッタである。光分離用光学素子２６は、第１光源２３からの入射光を反射し、第２光源２４からの入射光を透過してコリメータレンズ２７へ入射させる。光路変更用反射鏡２８は、いわゆる立上げミラーと呼ばれる鏡であり、コリメータレンズ２７を透過した光を反射し、その光路方向を９０度曲げることによって、光記録媒体２２を臨む対物レンズ２５に光を入射させる。
【００３５】
第１光源２３から放射される光は、光分離用光学素子２６で反射され、コリメータレンズ２７によって略平行光にされ、光路変更用反射鏡２８で反射して光路の方向を９０度曲げられて対物レンズ２５に入射し、対物レンズ２５よって光記録媒体２２の情報記録面に集光される。第２光源２４から放射される光は、光分離用光学素子２６を透過してコリメータレンズ２７に入射し、以降は第１光源２３から放射される光と同様にして光記録媒体２２の情報記録面に集光される。このようにして、光ピックアップ装置２１は、光記録媒体２２に情報を記録することができる。
【００３６】
なお、光記録媒体２２から情報の再生を行う場合、光記録媒体２２によって反射された光が、情報記録の場合の光路を逆にたどり、第１および第２光源２３，２４に近接してそれぞれ設けられる図示しない光検出器によって受光される。この受光信号には、情報の再生信号であるＲＦ信号、光ビームスポットの焦点合わせ制御に用いられる信号であるフォーカシング誤差信号および光ビームスポットのトラック追随制御に用いられるトラッキング誤差信号が含まれる。
【００３７】
前述のような情報の記録または再生いずれの場合においても、光源から放射される光の出力を安定化させることが、信号処理の精度向上のために必要とされる。第１および第２光源２３，２４から放射される光をモニタリングし、モニタリング結果をフィードバックすることによって、光出力の安定化制御が実現される。光ピックアップ装置２１に設けられる第１および第２光反射手段２９，３０、第１および第２光出力検出手段３１，３２、光出力制御手段３３は、第１および第２光源２３，２４から放射される光の出力を安定化させる手段である。
【００３８】
第１および第２光反射手段２９，３０は、反射鏡であり、第１および第２光源２３，２４と光分離用光学素子２６との間に設けられて第１および第２光源２３，２４から放射される光の一部を反射し、第１および第２光出力検出手段３１，３２に入射する。図２は、光源から放射される光に対する光反射手段の配置を示す図である。図２では、第１光源２３から放射される光に対する第１光反射手段２９の配置例を示す。
【００３９】
第１光反射手段２９は、第１光源２３から放射される光の光軸３４に垂直な仮想平面３５上に直交するように形成される２軸３６，３７のそれぞれの軸方向に対する光の広がり角度のうち、光が大きい方の広がり角度θ１を成す軸３７上に位置するように設けられる。第２光反射手段３０も第１光反射手段２９と同様にして設けられる。第１および第２光反射手段２９，３０が、前述のように設けられることによって、第１および第２光源２３，２４から放射される光のうちからより多くの光量を反射してモニタリングに用いることができるので、高い精度で光源の光出力を制御することが可能になる。
【００４０】
第１および第２光出力検出手段３１，３２は、たとえばフォトダイオードからなる受光素子であり、第１および第２光反射手段２９，３０によって反射される光を検出し、検出出力を光出力制御手段３３に対して与える。光出力制御手段３３は、制御回路であり、第１および第２光出力検出手段３１，３２の検出出力に応答し、第１および第２光源２３，２４から放射される光の出力を制御する。
【００４１】
このように構成される光ピックアップ装置２１では、光記録媒体２２に情報を記録および／または再生するための光学系に変更を加えることなく、高い精度で光源の光出力を制御することが可能になる。また、第１および第２光反射手段２９，３０は、第１および第２光源２３，２４と光分離用光学素子２６との間に設けられるので、光分離用光学素子２６に対して光源と反対側に設けられる場合に比べて設置容積を小さくすることができ、装置を小型化することができる。また光分離用光学素子２６を透過または光分離用光学素子２６に反射される前の光を、第１および第２光反射手段２９，３０によってそれぞれ反射し、光出力のモニタリングを行うことができるので、高い精度で光源の光出力を制御することができる。なお、上記説明では、光源が２つ備わる光ピックアップ装置を例示したけれども、光源、光反射手段、光出力検出手段がそれぞれ１つで構成される光ピックアップ装置であってもよい。
【００４２】
図３は、本発明の実施の第２の形態である光ピックアップ装置４０の構成を簡略化して示す系統図である。本実施の形態の光ピックアップ装置４０は、実施の第１形態の光ピックアップ装置２１に類似し、対応する部分については同一の参照符号を付して説明を省略する。光ピックアップ装置４０においては、光反射手段である反射鏡４１が、装着部材４２を介して光分離用光学素子２６のコリメータレンズ２７を臨む側に装着される。
【００４３】
光ピックアップ装置４０では、第１光源２３から放射され光分離用光学素子２６によって反射された光の一部と、第２光源２４から放射され光分離用光学素子２６を透過した光の一部との両方を１つの光反射手段、すなわち反射鏡４１によって反射し、第１光出力検出手段３１に入射させることができる。このように、１つの反射鏡４１と１つの第１光出力検出手段３１とを設けることによって、２つの第１および第２光源２３，２４の光出力をモニタリングし、光出力制御手段３３を介して第１および第２光源２３，２４の光出力をそれぞれ制御することが可能になる。したがって、部材点数が削減され装置の組立て作業が簡略化されるので、生産効率を向上することができる。
【００４４】
図４は、本発明の実施の第３の形態である光ピックアップ装置４３の構成を簡略化して示す系統図である。本実施の形態の光ピックアップ装置４３は、実施の第２形態の光ピックアップ装置４０に類似し、対応する部分については同一の参照符号を付して説明を省略する。光ピックアップ装置４３においては、光反射手段である反射鏡４１が、装着部材４２を介して光分離用光学素子２６の第２光源２４を臨む側に装着される。光ピックアップ装置４３では、第２光源２４から放射された光の一部を反射鏡４１によって反射し、第２光出力検出手段３２に入射させることができる。このように、反射鏡４１を設けることによって、第２光源２４の光出力をモニタリングし、光出力制御手段３３を介して第２光源２４の光出力を制御することが可能になる。
【００４５】
図５は、本発明の実施の第４の形態である光ピックアップ装置４４の構成を簡略化して示す系統図である。本実施の形態の光ピックアップ装置４４は、実施の第２形態の光ピックアップ装置４０に類似し、対応する部分については同一の参照符号を付して説明を省略する。光ピックアップ装置４４においては、光反射手段である反射鏡４１が、光分離用光学素子２６の第２光源２４を臨む側に接して装着される。光ピックアップ装置４４では、第２光源２４から放射された光の一部を反射鏡４１によって反射し、第２光出力検出手段３２に入射させることができる。このように、反射鏡４１を設けることによって、第２光源２４の光出力をモニタリングし、光出力制御手段３３を介して第２光源２４の光出力を制御することが可能になる。
【００４６】
前述の実施の第２〜第４形態の光ピックアップ装置４０，４３，４４では、光反射手段である反射鏡４１が、光分離用光学素子２６に装着されるので、反射鏡４１を設置するための大きな容積の空間を必要とせず、装置の小型化に寄与することができる。
【００４７】
図６は本発明の実施の第５の形態である光ピックアップ装置４５の構成を簡略化して示す系統図であり、図７は本発明の実施の第６の形態である光ピックアップ装置４６の構成を簡略化して示す系統図である。実施の第５形態および第６形態の光ピックアップ装置４５，４６は、実施の第１形態の光ピックアップ装置２１に類似し、対応する部分については同一の参照符号を付して説明を省略する。実施の第５形態である光ピックアップ装置４５においては、光反射手段である反射鏡４７が、コリメータレンズ２７に装着され、実施の第６形態である光ピックアップ装置４６においては、光反射手段である反射鏡４７が、コリメータレンズ２７を保持する保持部材４８に装着される。
【００４８】
実施の第５および第６形態の光ピックアップ装置４５，４６では、第１光源２３から放射され光分離用光学素子２６によって反射された光の一部と、第２光源２４から放射され光分離用光学素子２６を透過した光の一部との両方を１つ反射鏡４７によって反射し、第１光出力検出手段３１に入射させることができる。このように、１つの反射鏡４７と１つの第１光出力検出手段３１とを設けることによって、２つの第１および第２光源２３，２４の光出力をモニタリングし、光出力制御手段３３を介して第１および第２光源２３，２４の光出力をそれぞれ制御することが可能になる。
【００４９】
したがって、部材点数が削減され装置の組立て作業が簡略化されるので、生産効率を向上することができる。また反射鏡４７が、コリメータレンズ２７またはコリメータレンズ２７を保持する保持部材４８に装着されるので、反射鏡４７を設置するための大きな容積の空間を必要とせず、装置の小型化に寄与することができる。
【００５０】
図８は本発明の実施の第７の形態である光ピックアップ装置４９の構成を簡略化して示す系統図であり、図９は本発明の実施の第８の形態である光ピックアップ装置５０の構成を簡略化して示す系統図である。実施の第７形態および第８形態の光ピックアップ装置４９，５０は、実施の第１形態の光ピックアップ装置２１に類似し、対応する部分については同一の参照符号を付して説明を省略する。なお図８および図９では、光路変更用反射鏡２８である立上げミラーについては対物レンズ２５の位置する側から見た状態を図示し、図が繁雑になることを避けるために対物レンズ２５および光記録媒体２２を省略している。
【００５１】
実施の第７および第８形態である光ピックアップ装置４９，５０においては、光反射手段である反射鏡５１が、立上げミラー２８に装着される。第１光源２３から放射され光分離用光学素子２６によって反射された光の一部と、第２光源２４から放射され光分離用光学素子２６を透過した光の一部とは、コリメータレンズ２７を透過した後、反射鏡５１によって反射されて第１光出力検出手段３１に入射される。
【００５２】
このように、１つの反射鏡５１と１つの第１光出力検出手段３１とを設けることによって、２つの第１および第２光源２３，２４の光出力をモニタリングし、光出力制御手段３３を介して第１および第２光源２３，２４の光出力をそれぞれ制御することが可能になる。したがって、部材点数が削減され装置の組立て作業が簡略化されるので、生産効率を向上することができる。また反射鏡５１が、立上げミラー２８に装着されるので、反射鏡５１を設置するための大きな容積の空間を必要とせず、装置の小型化に寄与することができる。
【００５３】
図１０は、本発明の実施の第９の形態である光ピックアップ装置５２の構成を簡略化して示す系統図である。実施の第９形態の光ピックアップ装置５２は、実施の第１形態の光ピックアップ装置２１に類似し、対応する部分については同一の参照符号を付して説明を省略する。
【００５４】
実施の第９形態である光ピックアップ装置５２においては、光反射手段が設けられない。第１光源２３から放射され光分離用光学素子２６によって反射された光の一部と、第２光源２４から放射され光分離用光学素子２６を透過した光の一部とは、コリメータレンズ２７を透過した後、立上げミラー２８に入射することなく、その側面５３に沿って通過し第１光出力検出手段３１に入射される。
【００５５】
このように、光反射手段を設けることなく、１つの第１光出力検出手段３１のみによって、２つの第１および第２光源２３，２４の光出力をモニタリングし、光出力制御手段３３を介して第１および第２光源２３，２４の光出力をそれぞれ制御することができる。したがって、部材点数が削減され装置の組立て作業が簡略化されるので、生産効率を向上することができる。また部材点数が削減されるので、部材設置のために必要とする空間容積が少なくてすみ、装置の小型化に寄与することができる。
【００５６】
図１１は、本発明の実施の第１０の形態である光ピックアップ装置５５の構成を簡略化して示す斜視図である。実施の第１０形態の光ピックアップ装置５５は、実施の第１形態の光ピックアップ装置２１に類似し、対応する部分については同一の参照符号を付して説明を省略する。本実施の形態の光ピックアップ装置５５において注目すべきは、第１光反射手段２９の反射面２９ａの法線５６が、立上げミラー２８によって光記録媒体２２へ向う方向に反射された光の光軸５７に対して非平行になるように配置されることである。
【００５７】
小型化および薄型化の要求に応じて、光ピックアップ装置５５は、光記録媒体２２から立上げミラー２８の下面までの距離ＴＨ、すなわち装置の厚みが薄くなるように各部材の配置が定められる。前述のように、第１光反射手段２９の前記法線５６が、前記光軸５７に対して非平行になるように配置、好ましくは前記法線５６の方向と前記光軸５７の方向とが直交するように配置されることによって、装置の薄型化が実現される。
【００５８】
また第１光源２３は、第１光源２３から放射される光の広がり５８が、装置の厚みＴＨ方向に、前述の大きい方の広がり角θ１を有するように配置されるので、この大きい方の広がり角を有して広がる光が、コリメータレンズ２７の配される位置ではコリメータレンズ２７の直径を超えて拡散する。したがって、第１光源２３から放射される光には、円形のコリメータレンズ２７に入射されない光が生じる。第１光源２３から放射される光が大きい方の広がり角θ１を成す軸上であって、かつ前述のように反射面２９ａの法線５６が前記光軸５７に対して非平行になるように第１光反射手段２９を配置し、このコリメータレンズ２７に入射されない光、すなわち情報の記録／再生に用いられない光を、第１光反射手段２９で反射して第１光出力検出手段３１へ入射させ、光出力制御に用いることによって、第１光源２３から放射される光の効率的利用と装置の薄型化とが同時に実現される。
【００５９】
図１１では、１個の第１光源２３と１個の第１光反射手段２９とが設けられる構成について例示するけれども、放射する光の波長がそれぞれ異なる第１および第２光源の設けられる２波長光ピックアップ装置においても、それぞれの光源に対応して設けられる２つの第１および第２光反射手段を、各反射面の法線が、立上げミラーによって光記録媒体へ向う方向に反射された光の光軸に対して非平行になるように配置することによって、実施の第１０形態の光ピックアップ装置５５と同一の効果を得ることができる。
【００６０】
【発明の効果】
本発明によれば、光源から放射される光の一部を反射する光反射手段を設け、光反射手段から反射される光を光出力検出手段によって検出し、その検出出力に応答して光源の光出力を制御する。このことによって、光記録媒体に情報を記録および／または再生するための光学系に変更を加えることなく、高い精度で光源の光出力を制御することが可能になる。
【００６１】
また本発明によれば、光反射手段は、光源と光分離用光学素子との間に設けられるので、光分離用光学素子を介して光源と反対側に設けられる場合に比べて設置容積を小さくすることができ、装置を小型化することができる。また光分離用光学素子を透過または光分離用光学素子に反射される前の光を、光反射手段によって反射し、光出力のモニタリングを行うことができるので、高い精度で光源の光出力を制御することができる。
【００６２】
また本発明によれば、光反射手段を、光源から放射される光の広がり角度の大きい方に位置するように設けることによって、より多くの光量を反射してモニタリングに用いることができるので、高い精度で光源の光出力を制御することが可能になる。
【００６３】
また本発明によれば、光反射手段の反射面の法線が、前記光路変更用反射鏡によって前記光記録媒体へ向う方向に反射された光の光軸に対して非平行になるように配置されるので、光ピックアップ装置の厚みを厚くすることなく、また光源から放射される光を出力制御に効率良く利用することができる。さらに放射する光の波長がそれぞれ異なる光源が２個設けられるいわゆる２波長光ピックアップ装置においても、２個の光源に対応して設けられる２個の光反射手段を前述のようにそれぞれ配置することによって、同様の効果を奏することができる。
【００６４】
また本発明によれば、光反射手段は、光分離用光学素子に設けられるので、大きな容積の設置空間を必要とせず、装置を小型化することができる。
【００６５】
また本発明によれば、光反射手段は、コリメータレンズまたはコリメータレンズを保持する保持部材に装着されるので、大きな容積の設置空間を必要とせず、装置を小型化することができる。
【００６６】
また本発明によれば、光反射手段は、光路変更用反射鏡に装着されるので、大きな容積の設置空間を必要とせず、装置を小型化することができる。
【００６７】
また本発明によれば、光路変更用反射鏡に入射することなく通過する光の一部を光出力検出手段で検出することによって、光反射手段を設けることなく、光出力のモニタリングを行うことができるので、装置の小型化を可能にするとともに、部材点数が削減されるので、装置組立ての効率を向上することができる。
【図面の簡単な説明】
【図１】本発明の実施の一形態である光ピックアップ装置２１の構成を簡略化して示す系統図である。
【図２】光源から放射される光に対する光反射手段の配置を示す図である。
【図３】本発明の実施の第２の形態である光ピックアップ装置４０の構成を簡略化して示す系統図である。
【図４】本発明の実施の第３の形態である光ピックアップ装置４３の構成を簡略化して示す系統図である。
【図５】本発明の実施の第４の形態である光ピックアップ装置４４の構成を簡略化して示す系統図である。
【図６】本発明の実施の第５の形態である光ピックアップ装置４５の構成を簡略化して示す系統図である。
【図７】本発明の実施の第６の形態である光ピックアップ装置４６の構成を簡略化して示す系統図である。
【図８】本発明の実施の第７の形態である光ピックアップ装置４９の構成を簡略化して示す系統図である。
【図９】本発明の実施の第８の形態である光ピックアップ装置５０の構成を簡略化して示す系統図である。
【図１０】本発明の実施の第９の形態である光ピックアップ装置５２の構成を簡略化して示す系統図である。
【図１１】本発明の実施の第１０の形態である光ピックアップ装置５５の構成を簡略化して示す斜視図である。
【図１２】波長の異なる２つの光源を備える従来の光ピックアップ装置１での光出力モニタリングの例を示す図である。
【図１３】もう１つの従来の光ピックアップ装置２０での光出力モニタリングの例を示す図である。
【符号の説明】
２１，４０，４３〜４６，４９，５０，５２，５５　光ピックアップ装置
２２　光記録媒体
２３　第１光源
２４　第２光源
２５　対物レンズ
２６　光分離用光学素子
２７　コリメータレンズ
２８　立上げミラー
２９　第１光反射手段
３０　第２光反射手段
３１　第１光出力検出手段
３２　第２光出力検出手段
３３　光出力制御手段
４１，４７，５１　反射鏡
【図１】
2004005894.tif 000003
【図２】
2004005894.tif 000004
【図３】
2004005894.tif 000005
【図４】
2004005894.tif 000006
【図５】
2004005894.tif 000007
【図６】
2004005894.tif 000008
【図７】
2004005894.tif 000009
【図８】
2004005894.tif 000010
【図９】
2004005894.tif 000011
【図１０】
2004005894.tif 000012
【図１１】
2004005894.tif 000013
【図１２】
2004005894.tif 000014
【図１３】
2004005894.tif 000015